(57)【特許請求の範囲】
【請求項１】
コアネットワーク装置が、第１移動局及び第２移動局が同一の無線基地局配下のセルに接続されている場合に、該無線基地局に対して、所定通知信号を送信する工程と、
前記無線基地局が、前記所定通知信号に応じて、前記第１移動局及び前記第２移動局に対して、該第１移動局及び該第２移動局との間の無線品質を測定するように要求する要求信号を送信する工程と、
前記第１移動局が、前記要求信号に応じて、前記第２移動局に対して、第１参照信号を送信する工程と、
前記第２移動局が、前記要求信号に応じて、前記第１移動局に対して、第２参照信号を送信する工程と、
前記第１移動局が、前記無線基地局に対して、前記第２参照信号の測定結果を送信する工程と、
前記第２移動局が、前記無線基地局に対して、前記第１参照信号の測定結果を送信する工程とを有することを特徴とする移動通信方法。
【請求項２】
前記第１参照信号の測定結果及び前記第２参照信号の測定結果の送信後に、前記第１移動局及び前記第２移動局が前記無線基地局を介さないデータ信号の送受信を開始する工程とを有することを特徴とする請求項１に記載の移動通信方法。
【請求項３】
無線基地局を配下に接続しているコアネットワーク装置であって、
第１移動局及び第２移動局からサービス要求信号を受信した場合に、該第１移動局及び該第２移動局が前記無線基地局配下のセルに接続されているか否かについて判断するように構成されている判断部と、
前記第１移動局及び前記第２移動局が前記無線基地局配下のセルに接続されていると判断された場合に、該無線基地局に対して、所定通知信号を送信するように構成されている送信部と、
前記無線基地局から、前記第１移動局及び前記第２移動局が該無線基地局を介さないデータ信号の送受信を開始することを示す信号を受信するように構成されている受信部とを具備することを特徴とするコアネットワーク装置。
【請求項４】
コアネットワーク装置配下に接続されている無線基地局であって、
前記コアネットワーク装置から、第１移動局及び第２移動局が前記無線基地局配下のセルに接続されている旨を通知する所定通知信号を受信するように構成されている受信部と、
前記所定通知信号が受信された場合、前記第１移動局及び前記第２移動局に対して、該第１移動局及び該第２移動局との間の無線品質を測定するように要求する要求信号を送信するように構成されている送信部とを具備し、
前記受信部は、前記第１移動局から第２参照信号の測定結果を受信し、前記第２移動局から第１参照信号の測定結果を受信するように構成されており、
前記送信部は、前記コアネットワーク装置に対して、該第１移動局及び該第２移動局が前記無線基地局を介さないデータ信号の送受信を開始することを通知するように構成されており、
前記第１参照信号は、前記第１移動局によって前記第２移動局に対して送信される参照信号であり、
前記第２参照信号は、前記第２移動局によって前記第１移動局に対して送信される参照信号であることを特徴とする無線基地局。
【請求項５】
コアネットワーク装置配下に接続されている無線基地局配下のセルに接続されている場合に、該無線基地局から、該他移動局との間の無線品質を測定するように要求する要求信号を受信するように構成されている受信部と、
前記要求信号に応じて、他移動局によって送信される参照信号に対する測定処理を行うように構成されている測定部と、
前記無線基地局に対して、前記参照信号の測定結果を送信するように構成されている送信部とを具備しており、
前記送信部及び前記受信部は、前記無線基地局からの指示信号に応じて、前記他移動局との間で、該無線基地局を介さないデータ信号の送受信を開始するように構成されていることを特徴とする移動局。
【発明の詳細な説明】
【技術分野】
【０００１】
本発明は、移動通信方法、コアネットワーク装置、無線基地局及び移動局に関する。
【背景技術】
【０００２】
Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式やＬＴＥ（Ｌｏｎｇ  Ｔｅｒｍ  Ｅｖｏｌｕｔｉｏｎ）の方式等のセルラー方式の移動通信システムでは、複数の移動局ＵＥ同士の通信は、無線アクセスネットワーク装置やコアネットワーク装置等を介して行われるように構成されている。
【先行技術文献】
【非特許文献】
【０００３】
【非特許文献１】３ＧＰＰ  ＴＳ３６.３００
【発明の概要】
【発明が解決しようとする課題】
【０００４】
しかしながら、従来のセルラー方式の移動通信システムでは、複数の移動局ＵＥが、同一セル（或いは、無線アクセスネットワーク装置配下のセル）内に配置されている場合であっても、データ信号及び制御信号の両方が、無線アクセスネットワーク装置を介して送受信されるように構成されているため、無線アクセスネットワーク装置の処理負荷が増大してしまうという問題点があった。
【０００５】
そこで、本発明は、上述の課題に鑑みてなされたものであり、複数の移動局の間で、無線基地局を介してデータ信号を送受信する状態から、無線基地局を介さないでデータ信号を送受信する状態に遷移することを可能とする移動通信方法、コアネットワーク装置、無線基地局及び移動局を提供することを目的とする。
【課題を解決するための手段】
【０００６】
本発明の第１の特徴は、移動通信方法であって、コアネットワーク装置が、第１移動局及び第２移動局が同一の無線基地局配下のセルに接続されている場合に、該無線基地局に対して、所定通知信号を送信する工程と、前記無線基地局が、前記所定通知信号に応じて、前記第１移動局及び前記第２移動局に対して、該第１移動局及び該第２移動局との間の無線品質を測定するように要求する要求信号を送信する工程と、前記第１移動局が、前記要求信号に応じて、前記第２移動局に対して、第１参照信号を送信する工程と、前記第２移動局が、前記要求信号に応じて、前記第１移動局に対して、第２参照信号を送信する工程と、前記第１移動局が、前記無線基地局に対して、前記第２参照信号の測定結果を送信する工程と、前記第２移動局が、前記無線基地局に対して、前記第１参照信号の測定結果を送信する工程とを有することを要旨とする。
【０００７】
本発明の第２の特徴は、無線基地局を配下に接続しているコアネットワーク装置であって、第１移動局及び第２移動局からサービス要求信号を受信した場合に、該第１移動局及び該第２移動局が前記無線基地局配下のセルに接続されているか否かについて判断するように構成されている判断部と、前記第１移動局及び前記第２移動局が前記無線基地局配下のセルに接続されていると判断された場合に、該無線基地局に対して、所定通知信号を送信するように構成されている送信部と、前記無線基地局から、前記第１移動局及び前記第２移動局が該無線基地局を介さないデータ信号の送受信を開始することを示す信号を受信するように構成されている受信部とを具備することを要旨とする。
【０００８】
本発明の第３の特徴は、コアネットワーク装置配下に接続されている無線基地局であって、前記コアネットワーク装置から、第１移動局及び第２移動局が前記無線基地局配下のセルに接続されている旨を通知する所定通知信号を受信するように構成されている受信部と、前記所定通知信号が受信された場合、前記第１移動局及び前記第２移動局に対して、該第１移動局及び該第２移動局との間の無線品質を測定するように要求する要求信号を送信するように構成されている送信部とを具備し、前記受信部は、前記第１移動局から第２参照信号の測定結果を受信し、前記第２移動局から第１参照信号の測定結果を受信するように構成されており、前記送信部は、前記コアネットワーク装置に対して、該第１移動局及び該第２移動局が前記無線基地局を介さないデータ信号の送受信を開始することを通知するように構成されており、前記第１参照信号は、前記第１移動局によって前記第２移動局に対して送信される参照信号であり、前記第２参照信号は、前記第２移動局によって前記第１移動局に対して送信される参照信号であることを要旨とする。
【０００９】
本発明の第４の特徴は、移動局であって、コアネットワーク装置配下に接続されている無線基地局配下のセルに接続されている場合に、該無線基地局から、該他移動局との間の無線品質を測定するように要求する要求信号を受信するように構成されている受信部と、前記要求信号に応じて、前記他移動局によって送信される参照信号に対する測定処理を行うように構成されている測定部と、前記無線基地局に対して、前記参照信号の測定結果を送信するように構成されている送信部とを具備しており、前記送信部及び前記受信部は、前記無線基地局からの指示信号に応じて、前記他移動局との間で、該無線基地局を介さないデータ信号の送受信を開始するように構成されていることを要旨とする。
【発明の効果】
【００１０】
以上説明したように、本発明によれば、複数の移動局の間で、無線基地局を介してデータ信号を送受信する状態から、無線基地局を介さないでデータ信号を送受信する状態に遷移することを可能とする移動通信方法、コアネットワーク装置、無線基地局及び移動局を提供することができる。
【図面の簡単な説明】
【００１１】
【図１】本発明の第１の実施形態に係る移動通信システムの全体構成図である。
【図２】本発明の第１の実施形態に係るコアネットワーク装置の機能ブロック図である。
【図３】本発明の第１の実施形態に係る無線基地局の機能ブロック図である。
【図４】本発明の第１の実施形態に係る移動局の機能ブロック図である。
【図５】本発明の第１の実施形態に係る移動通信システムの動作を示すシーケンス図である。
【発明を実施するための形態】
【００１２】
（本発明の第１の実施形態に係る移動通信システム）
図１乃至図５を参照して、本発明の第１の実施形態に係る移動通信システムについて説明する。
【００１３】
本実施形態に係る移動通信システムは、ＬＴＥ方式の移動通信システムであって、図１に示すように、コアネットワーク装置ＣＮと、コアネットワーク装置ＣＮ配下に接続されている無線基地局ｅＮＢとを具備している。なお、本発明は、ＬＴＥ方式以外のセルラー方式の移動通信システムにも適用可能である。
【００１４】
ここで、無線基地局ｅＮＢと移動局ＵＥ＃１/ＵＥ＃２との間では、Ｕｕインタフェースを介してデータが送受信されるように構成されており、移動局ＵＥ＃１と移動局ＵＥ＃２との間では、Ｕｄインタフェースを介してデータが送受信されるように構成されている。
【００１５】
すなわち、移動局ＵＥ＃１は、移動局ＵＥ＃２との間で、無線基地局ｅＮＢを介して（Ｕｕインタフェースを介して）データ信号を送受信することもできるし、無線基地局ｅＮＢを介さないで（Ｕｄインタフェースを介して）データ信号を送受信することもできる。
【００１６】
コアネットワーク装置ＣＮは、無線アクセスネットワークを収容するコアネットワーク内の装置であって、例えば、移動管理ノードＭＭＥ（Ｍｏｂｉｌｉｔｙ  Ｍａｎａｇｅｍｅｎｔ  Ｅｎｔｉｔｙ）やゲートウェイ装置Ｐ/Ｓ-ＧＷ（ＰＤＮ/Ｓｅｒｖｉｎｇ-Ｇａｔｅｗａｙ）等であってもよい。
【００１７】
図２に示すように、コアネットワーク装置ＣＮは、受信部１１と、送信部１２と、判断部１３とを具備している。
【００１８】
受信部１１は、無線基地局ｅＮＢからＳ１ＡＰメッセージを受信したり、移動局ＵＥ＃１/ＵＥ＃２からＮＡＳ（Ｎｏｎ  Ａｃｃｅｓｓ  Ｓｔｒａｔｕｍ）メッセージを受信したりするように構成されている。
【００１９】
例えば、受信部１１は、「Ｓｅｒｖｉｃｅ  Ｒｅｑｕｅｓｔ手順」において、移動局ＵＥ＃１/ＵＥ＃２から、「Ｓｅｒｖｉｃｅ  Ｒｅｑｕｅｓｔ」を受信するように構成されている。
【００２０】
また、受信部１１は、無線基地局ｅＮＢから、移動局ＵＥ＃１/ＵＥ＃２が無線基地局ｅＮＢを介さないデータ信号の送受信を開始することを示す信号を受信するように構成されている。
【００２１】
送信部１２は、無線基地局ｅＮＢに対してＳ１ＡＰメッセージを送信したり、移動局ＵＥ＃１/ＵＥ＃２に対してＮＡＳメッセージを送信したりするように構成されている。
【００２２】
判断部１３は、移動局ＵＥ＃１/ＵＥ＃２から「Ｓｅｒｖｉｃｅ  Ｒｅｑｕｅｓｔ」が受信された場合に、移動局ＵＥ＃１/ＵＥ＃２が無線基地局ｅＮＢ配下のセルに接続されているか否かについて判断するように構成されている。
【００２３】
ここで、判断部１３が、移動局ＵＥ＃１/ＵＥ＃２が無線基地局ｅＮＢ配下のセルに接続されていると判断された場合に、送信部１２は、かかる無線基地局ｅＮＢに対して、所定通知信号を送信するように構成されている。
【００２４】
図３に示すように、無線基地局ｅＮＢは、受信部２１と、送信部２２と、判断部２３とを具備している。
【００２５】
受信部２１は、コアネットワーク装置ＣＮからＳ１ＡＰメッセージを受信したり、移動局ＵＥ＃１/ＵＥ＃２からＡＳ（Ａｃｃｅｓｓ  Ｓｔｒａｔｕｍ）メッセージ或いはＲＲＣ（Ｒａｄｉｏ  Ｒｅｓｏｕｒｃｅ  Ｃｏｎｔｒｏｌ）メッセージを受信したりするように構成されている。
【００２６】
例えば、受信部２１は、コアネットワーク装置ＣＮから、移動局ＵＥ＃１/ＵＥ＃２が無線基地局ｅＮＢ配下のセルに接続されている旨を通知する所定通知信号を受信するように構成されている。
【００２７】
また、受信部２１は、移動局ＵＥ＃１からＲＳ（Ｒｅｆｅｒｅｎｃｅ  Ｓｉｇｎａｌ）＃２の測定結果を受信し、移動局ＵＥ＃２からＲＳ＃１の測定結果を受信するように構成されている。
【００２８】
ここで、ＲＳ＃１は、移動局ＵＥ＃１によって移動局ＵＥ＃２に対して送信される参照信号であり、ＲＳ＃２は、移動局ＵＥ＃２によって移動局ＵＥ＃１に対して送信される参照信号である。
【００２９】
送信部２２は、コアネットワーク装置ＣＮに対してＳ１ＡＰメッセージを送信したり、移動局ＵＥ＃１/ＵＥ＃２に対してＡＳメッセージ或いはＲＲＣメッセージを送信したりするように構成されている。
【００３０】
例えば、送信部２２は、受信部２１によって所定通知信号が受信された場合、移動局ＵＥ＃１/ＵＥ＃２に対して、移動局ＵＥ＃１/ＵＥ＃２との間の無線品質を測定するように要求する要求信号を送信するように構成されている。
【００３１】
また、送信部２２は、移動局＃１に対して、送信すべきＲＳ＃１の設定情報や測定すべきＲＳ＃２の設定情報を送信するように構成されており、移動局＃２に対して、送信すべきＲＳ＃２の設定情報や測定すべきＲＳ＃１の設定情報を送信するように構成されている。かかる設定情報には、ＲＳ＃１やＲＳ＃２の使用周波数・時間情報やコード情報や周期情報等が含まれていてもよい。
【００３２】
ここで、判断部２３は、送信部２２が、移動局ＵＥ＃１/ＵＥ＃２との間の無線品質を測定するように要求する要求信号を送信すべきか否かを判断するように構成されていてもよい。
【００３３】
例えば、判断部２３は、移動局ＵＥ＃１/ＵＥ＃２が無線基地局ｅＮＢ配下の異なるセルに接続している場合に、かかる要求信号を送信しないと判断するように構成されていてもよい。
【００３４】
かかる場合、送信部２２は、コアネットワーク装置ＣＮに対して、受信部２１によって受信された所定通知信号に対する失敗応答を送信するように構成されている。
【００３５】
また、送信部２２は、「Ｕｄ切替手順」が行われなかった場合や「Ｕｄ切替手順」が失敗した場合に、コアネットワーク装置ＣＮに対して、受信部２１が受信した所定通知信号に対する失敗応答を送信するように構成されている。
【００３６】
判断部２３は、受信部２１によってＲＳ＃１/ＲＳ＃２の測定結果が受信された後に、移動局ＵＥ＃１/ＵＥ＃２が無線基地局ｅＮＢを介さないデータ信号の送受信を開始するための手順、すなわち、「Ｕｄ切替手順」を行うべきか否かについて判断するように構成されている。
【００３７】
ここで、判断部２３は、ＲＳ＃１/ＲＳ＃２の測定結果が、所定条件を満たすと判断した場合に、移動局ＵＥ＃１/ＵＥ＃２が無線基地局ｅＮＢを介さないデータ信号の送受信を開始するための手順、すなわち、「Ｕｄ切替手順」を行うべきであると判断するように構成されていもよい。
【００３８】
かかる場合、送信部２２は、コアネットワーク装置ＣＮに対して、移動局ＵＥ＃１及び移動局ＵＥ＃２が無線基地局ｅＮＢを介さないデータ信号の送受信を開始することを通知するように構成されている。
【００３９】
例えば、判断部２３は、ＲＳ＃１の測定結果に含まれるＲＳ＃１の無線品質が第１閾値を上回り、ＲＳ＃２の測定結果に含まれるＲＳ＃２の無線品質が第２閾値を上回った場合に、ＲＳ＃１/ＲＳ＃２の測定結果が、所定条件を満たすと判断するように構成されていてもよい。
【００４０】
なお、第１閾値及び第２閾値は、同じ値であってもよいし、異なる値であってもよい。
【００４１】
本実施形態では、移動局ＵＥ＃１の構成及び移動局ＵＥ＃２の構成は、基本的に同一であるため、以下、代表して、移動局ＵＥ＃１の構成について説明する。図４に示すように、移動局ＵＥ＃１は、送信部３１と、受信部３２と、測定部３３とを具備している。
【００４２】
送信部３１は、コアネットワーク装置ＣＮに対してＮＡＳメッセージを送信したり、無線基地局ｅＮＢに対してＡＳメッセージ或いはＲＲＣメッセージを送信したりするように構成されている。
【００４３】
例えば、送信部３１は、無線基地局ｅＮＢに対して、後述するＲＳ＃２の測定結果を含む「Ｍｅａｓｕｒｅｍｅｎｔ  Ｒｅｐｏｒｔ（測定報告）」を送信するように構成されている。
【００４４】
受信部３２は、コアネットワーク装置ＣＮからＮＡＳメッセージを受信したり、移動局ＵＥ＃１/ＵＥ＃２からＡＳメッセージ或いはＲＲＣメッセージを受信したりするように構成されている。
【００４５】
例えば、受信部３２は、無線基地局ｅＮＢから、移動局ＵＥ＃２との間の無線品質を測定するように要求する要求信号を受信するように構成されている。かかる要求信号には、移動局ＵＥ＃１が送信すべきＲＳ＃１の設定情報や、移動局ＵＥ＃１が測定すべきＲＳ＃２の設定情報が含まれていてもよい。
【００４６】
測定部３３は、受信部３２によって受信された要求信号に応じて、移動局ＵＥ＃２によって送信されるＲＳ＃２に対する測定処理（Ｍｅａｓｕｒｅｍｅｎｔ）を行うように構成されている。
【００４７】
例えば、測定部３３は、ＲＳ＃２に対する測定処理において、ＲＳ＃２の無線品質、例えば、ＲＳ＃２のＲＳＲＰ（Ｒｅｆｅｒｅｎｃｅ  Ｓｉｇｎａｌ  Ｒｅｃｅｉｖｅｄ  Ｐｏｗｅｒ）やＲＳ＃２のＲＳＲＱ（Ｒｅｆｅｒｅｎｃｅ  Ｓｉｇｎａｌ  Ｒｅｃｅｉｖｅｄ  Ｑｕａｌｉｔｙ）やＲＳ＃２のＣＱＩ（Ｃｈａｎｎｅｌ  Ｑｕａｌｉｔｙ  Ｉｎｄｅｘ）等を測定するように構成されている。
【００４８】
なお、送信部３１及び受信部３２は、無線基地局ｅＮＢからの指示信号に応じて、無線基地局を介してデータ信号を送受信する状態から、無線基地局を介さないでデータ信号を送受信する状態に遷移するように構成されている。
【００４９】
以下、図５を参照して、本実施形態に係る移動通信システムの動作の一例について説明する。
【００５０】
本実施形態に係る移動通信システムにおいて、移動局ＵＥ＃１と移動局ＵＥ＃２との間で通信を行いたい場合には、図５に示すように、ステップＳ１００１において、移動局ＵＥ＃１とコアネットワーク装置ＣＮとの間で「Ｓｅｒｖｉｃｅ  Ｒｅｑｕｅｓｔ手順」を行うと共に、ステップＳ１００２において、移動局ＵＥ＃２とコアネットワーク装置ＣＮとの間で「Ｓｅｒｖｉｃｅ  Ｒｅｑｕｅｓｔ手順」を行う。
【００５１】
ステップＳ１００３において、コアネットワーク装置ＣＮは、移動局ＵＥ＃１/ＵＥ＃２が同一の無線基地局ｅＮＢ配下のセルに接続されているか否かについて判断するように構成されている。
【００５２】
ここで、移動局ＵＥ＃１/ＵＥ＃２が同一の無線基地局ｅＮＢ配下のセルに接続されていると判断された場合、ステップＳ１００４において、コアネットワーク装置ＣＮは、無線基地局ｅＮＢに対して、その旨を示す所定通知信号を送信する。
【００５３】
無線基地局ｅＮＢは、ステップＳ１００５Ａにおいて、移動局ＵＥ＃１に対して、移動局ＵＥ＃２との間の無線品質を測定するように要求する要求信号を送信し、ステップＳ１００５Ｂにおいて、移動局ＵＥ＃２に対して、移動局ＵＥ＃１との間の無線品質を測定するように要求する要求信号を送信する。
【００５４】
ステップＳ１００６Ａにおいて、移動局ＵＥ＃１は、かかる要求信号に応じて、移動局ＵＥ＃２に対して、ＲＳ＃１を送信し、ステップＳ１００６Ｂにおいて、移動局ＵＥ＃２は、かかる要求信号に応じて、移動局ＵＥ＃１に対して、ＲＳ＃２を送信する。
【００５５】
ステップＳ１００７Ａにおいて、移動局ＵＥ＃１は、ＲＳ＃２に対する測定処理を行い、ステップＳ１００７Ｂにおいて、移動局ＵＥ＃２は、ＲＳ＃１に対する測定処理を行う。
【００５６】
ステップＳ１００８Ａにおいて、移動局ＵＥ＃１は、無線基地局ｅＮＢに対して、ＲＳ＃２の測定結果を通知し、ステップＳ１００８Ｂにおいて、移動局ＵＥ＃２は、無線基地局ｅＮＢに対して、ＲＳ＃１の測定結果を通知する。
【００５７】
ここで、移動局ＵＥ＃１/ＵＥ＃２は、「Ｍｅａｓｕｒｅｍｅｎｔ  Ｒｅｐｏｒｔ」によって、ＲＳ＃２/ＲＳ＃１の測定結果を通知してもよいし、他のメッセージによって、ＲＳ＃２/ＲＳ＃１の測定結果を通知してもよい。
【００５８】
ステップＳ１００９において、無線基地局ｅＮＢは、ＲＳ＃１/ＲＳ＃２の測定結果を受信した後に、移動局ＵＥ＃１/ＵＥ＃２が無線基地局ｅＮＢを介さないデータ信号の送受信を開始するための手順、すなわち、「Ｕｄ切替手順」を行うべきか否かについて判断する。
【００５９】
例えば、無線基地局ｅＮＢは、ＲＳ＃１/ＲＳ＃２の測定結果が、所定条件を満たすと判断された場合には、上述の「Ｕｄ切替手順」を行うべきであると判断してもよい。
【００６０】
その結果、移動局ＵＥ＃１と移動局ＵＥ＃２との間の通信は、無線基地局ｅＮＢを介さずに（Ｕｄインタフェースを介して）行われる。その結果、コアネットワーク装置ＣＮは、移動局＃ＵＥ１及び移動局＃ＵＥ２のベアラを、プリザベーション状態（保留状態）にしてもよい。
【００６１】
なお、ステップＳ１００９における判断は、無線基地局ｅＮＢではなく、コアネットワーク装置ＣＮによって行われてもよい。
【００６２】
一方、ステップＳ１００３において、移動局ＵＥ＃１/ＵＥ＃２が同一の無線基地局ｅＮＢ配下のセルに接続されていないと判断された場合、移動局ＵＥ＃１と移動局ＵＥ＃２との間の通信は、無線基地局ｅＮＢを介して（Ｕｕインタフェースを介して）行われる。
【００６３】
本発明の第１の実施形態に係る移動通信システムによれば、移動局ＵＥ＃１/ＵＥ＃２が同一の無線基地局ｅＮＢ配下のセルに接続されている場合で、かつ、ＲＳ＃１/ＲＳ＃２の測定結果が所定条件を満たす場合には、無線基地局ｅＮＢを介さずに、Ｕｄインタフェースを介して、移動局ＵＥ＃１と移動局ＵＥ＃２との間の通信を行うことができる。
【００６４】
なお、上述の第１の実施形態では、「Ｓｅｒｖｉｃｅ  Ｒｅｑｕｅｓｔ」を契機としてＵｄ切替手順が行われるケースについて説明したが、他の手順を契機にして同様な手順でＵｄ切替手順が行われてもよい。例えば、ベアラ追加・変更等を契機としてＵｄ切替手順が行われてもよい。
【００６５】
また、上述の第１の実施形態では、移動局ＵＥ＃１及び移動局ＵＥ＃２が互いに通信する場合のみを対象に説明したが、移動局ＵＥ＃１及び移動局ＵＥ＃２は、他の移動局と更に同時にＵｄインタフェースを用いた通信を行ってもよい。
【００６６】
さらには、移動局ＵＥ＃１及び移動局ＵＥ＃２は、Ｕｄインタフェースを用いた通信と同時に、Ｕｕインタフェースを用いて、他のｐｅｅｒ  ｅｎｔｉｔｙと同時に通信を行ってもよい。
【００６７】
これらの場合には、ベアラ毎にＵｄインタフェースの設定が行われてもよい。特に、コアネットワーク装置ＣＮは、ベアラ毎にＵｄ切替手順を行うか否かについて判断してもよい。
【００６８】
以上に述べた本実施形態の特徴は、以下のように表現されていてもよい。
【００６９】
本実施形態の第１の特徴は、移動通信方法であって、コアネットワーク装置ＣＮが、移動局ＵＥ＃１（第１移動局）及び移動局ＵＥ＃２（第２移動局）が同一の無線基地局ｅＮＢ配下のセルに接続されている場合に、無線基地局ｅＮＢに対して、所定通知信号を送信する工程と、無線基地局ｅＮＢが、所定通知信号に応じて、移動局ＵＥ＃１及び移動局ＵＥ＃２に対して、移動局ＵＥ＃１及び移動局ＵＥ＃２との間の無線品質を測定するように要求する要求信号を送信する工程と、移動局ＵＥ＃１が、かかる要求信号に応じて、移動局ＵＥ＃２に対して、ＲＳ＃１（第１参照信号）を送信する工程と、移動局ＵＥ＃２が、かかる要求信号に応じて、移動局ＵＥ＃１に対して、ＲＳ＃２（第２参照信号）を送信する工程と、移動局ＵＥ＃１が、無線基地局ｅＮＢに対して、ＲＳ＃２の測定結果を送信する工程と、移動局ＵＥ＃２が、無線基地局ｅＮＢに対して、ＲＳ＃１の測定結果を送信する工程とを有することを要旨とする。
【００７０】
本実施形態の第１の特徴において、ＲＳ＃１の測定結果及びＲＳ＃２の測定結果の送信後に、移動局ＵＥ＃１及び移動局ＵＥ＃２が無線基地局ｅＮＢを介さないデータ信号の送受信を開始する工程とを有してもよい。
【００７１】
本実施形態の第２の特徴は、無線基地局ｅＮＢを配下に接続しているコアネットワーク装置ＣＮであって、移動局ＵＥ＃１及び移動局ＵＥ＃２から「Ｓｅｒｖｉｃｅ  Ｒｅｑｕｅｓｔ（サービス要求信号）」を受信した場合に、移動局ＵＥ＃１及び移動局ＵＥ＃２が無線基地局ｅＮＢ配下のセルに接続されているか否かについて判断するように構成されている判断部１３と、移動局ＵＥ＃１及び移動局ＵＥ＃２が無線基地局ｅＮＢ配下のセルに接続されていると判断された場合に、かかる無線基地局ｅＮＢに対して、所定通知信号を送信するように構成されている送信部１２と、無線基地局ｅＮＢから、移動局ＵＥ＃１及び移動局ＵＥ＃２が無線基地局ｅＮＢを介さないデータ信号の送受信を開始することを示す信号を受信するように構成されている受信部１１とを具備することを要旨とする。
【００７２】
本実施形態の第３の特徴は、コアネットワーク装置ＣＮ配下に接続されている無線基地局ｅＮＢであって、コアネットワーク装置ＣＮから、移動局ＵＥ＃１及び移動局ＵＥ＃２が無線基地局ｅＮＢ配下のセルに接続されている旨を通知する所定通知信号を受信するように構成されている受信部２１と、所定通知信号が受信された場合、移動局ＵＥ＃１及び移動局ＵＥ＃２に対して、移動局ＵＥ＃１及び移動局ＵＥ＃２との間の無線品質を測定するように要求する要求信号を送信するように構成されている送信部２２とを具備し、受信部２１は、移動局ＵＥ＃１からＲＳ＃２の測定結果を受信し、移動局ＵＥ＃２からＲＳ＃１の測定結果を受信するように構成されており、送信部２２は、コアネットワーク装置ＣＮに対して、移動局ＵＥ＃１及び移動局ＵＥ＃２が無線基地局ｅＮＢを介さないデータ信号の送受信を開始することを通知するように構成されており、ＲＳ＃１は、移動局ＵＥ＃１によって移動局ＵＥ＃２に対して送信される参照信号であり、ＲＳ＃２は、移動局ＵＥ＃２によって移動局ＵＥ＃１に対して送信される参照信号であることを要旨とする。
【００７３】
本実施形態の第４の特徴は、移動局ＵＥ＃１であって、コアネットワーク装置ＣＮ配下に接続されている無線基地局ｅＮＢ配下のセルに接続されている場合に、無線基地局ｅＮＢから、移動局ＵＥ＃２との間の無線品質を測定するように要求する要求信号を受信するように構成されている受信部３２と、かかる要求信号に応じて、移動局ＵＥ＃２によって送信されるＲＳ＃２に対する測定処理（Ｍｅａｓｕｒｅｍｅｎｔ）を行うように構成されている測定部３３と、無線基地局ｅＮＢに対して、ＲＳ＃２の測定結果を送信するように構成されている送信部３１とを具備しており、送信部３１及び受信部３２は、無線基地局ｅＮＢからの指示信号に応じて、移動局ＵＥ＃２との間で、無線基地局ｅＮＢを介さないデータ信号の送受信を開始するように構成されていることを要旨とする。
【００７４】
なお、上述のコアネットワーク装置ＣＮや無線基地局ｅＮＢや移動局ＵＥ等の動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、コアネットワーク装置ＣＮや無線基地局ｅＮＢや移動局ＵＥ等内に設けられていてもよい。また、かかる記憶媒体及びプロセッサは、ディスクリートコンポーネントとしてコアネットワーク装置ＣＮや無線基地局ｅＮＢや移動局ＵＥ等内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
ＣＮ…コアネットワーク装置
ｅＮＢ…無線基地局
ＵＥ…移動局
１１、２１、３２…受信部
１２、２２、３１…送信部
１３、２３…判断部
３３…測定部
【図１】
0005324614.tif 000002
【図２】
0005324614.tif 000003
【図３】
0005324614.tif 000004
【図４】
0005324614.tif 000005
【図５】
0005324614.tif 000006